(57)【要約】【課題】穀粒の損傷、穀粒の詰まり発生。【解決手段】コンバインの走行装置２の上方に脱穀装置３を、脱穀装置３の側方にグレンタンク２０を、グレンタンク２０内に排出装置２１を設ける。排出装置２１の終端は接続部材２２の横筒部２６に接続し、接続部材２２の縦筒部２７には排出用縦揚穀装置２５の下部を接続し、縦筒部２７はその軸芯を前記横筒部２６の軸芯上方から外した一側に配置して連通口３０により前記横筒部２６と連通させる。横筒部２６に軸装する回転入力軸４０の一端に入力プーリ４１を設け、回転入力軸４０の連通口３０の後側に傘歯車４２を設け、傘歯車４２には縦軸４４に固定の傘歯車４３を噛み合わせる。縦軸４４の下部の伝動スプロケット４５と、排出用縦揚穀装置２５の揚穀軸４６の伝動スプロケット４７との間に無端チエン４８を掛け回す。【選択図】図４
2008125431.tif 000002
【特許請求の範囲】
【請求項１】
下方に走行装置（２）を設けた機体フレーム（１）の上方に脱穀装置（３）を設け、該脱穀装置（３）の側方にグレンタンク（２０）を設け、該グレンタンク（２０）内にはグレンタンク（２０）内の穀粒を排出する排出装置（２１）を設け、該排出装置（２１）の終端は接続部材（２２）の横筒部（２６）に接続し、前記接続部材（２２）の縦筒部（２７）には排出用縦揚穀装置（２５）の下部を接続し、該排出用縦揚穀装置（２５）の上部に排出オーガ（２８）の基部を接続したものにおいて、前記縦筒部（２７）は、その軸芯を前記横筒部（２６）の軸芯上方から外した一側に配置して連通口（３０）により前記横筒部（２６）と連通するようにし、前記横筒部（２６）の後部に設けた伝動ケース（３３）に軸装する回転入力軸（４０）の一端に入力プーリ（４１）を設け、該回転入力軸（４０）の他端を前記横筒部（２６）内の引継ぎ螺旋（２３）を介して排出装置（２１）に接続すると共に、前記回転入力軸（４０）における連通口（３０）の後側の位置に傘歯車（４２）を設け、該傘歯車（４２）には縦軸（４４）に固定の傘歯車（４３）を噛み合わせ、前記縦軸（４４）の下部の伝動スプロケット（４５）と、前記排出用縦揚穀装置（２５）の揚穀軸（４６）の伝動スプロケット（４７）との間に無端チエン（４８）を掛け回したことを特徴とするコンバイン。
【発明の詳細な説明】
【技術分野】
【０００１】
本発明は、穀粒排出装置を備えたコンバインに係るものである。
【背景技術】
【０００２】
従来、下方に走行装置を設けた機体フレームの上方に脱穀装置を設け、脱穀装置の側方にグレンタンクを設け、該グレンタンク内にはグレンタンク内の穀粒を排出する排出装置を設け、排出装置の終端は接続部材の横筒部に接続し、前記接続部材の縦筒部には揚穀する排出用縦揚穀装置の下部を接続し、該排出用縦揚穀装置の上部に排出オーガの基部を接続し、前記接続部材は、前記縦筒部を前記横筒部の後側に略垂直に立ち上げ、側面視Ｌ型形状に形成し、横筒部と縦筒部の交差部の接続部材内には排出装置へ伝達する回転を排出用縦揚穀装置に伝達する傘歯車を設けた構成は、公知である（特許文献１参照）。
【特許文献１】特開平４ー３６５４２３号公報
【発明の開示】
【発明が解決しようとする課題】
【０００３】
前記公知例は、排出装置が排出した穀粒の搬送方向を接続部材内で、横方向から縦方向（上方）に切り替えて、上方に押し上げながら排出用縦揚穀装置の下部に搬送し、排出用縦揚穀装置により揚穀する構成のため、穀粒は横筒部から縦筒部に移送されるときに後方から押され、かつ、押し上げられる圧力が掛かって、損傷するという課題がある。
また、接続部材内に傘歯車を設けているため、接続部材内の穀粒の搬送通路の空間容積が狭くなり、この点でも、穀粒の損傷の原因となるだけでなく、詰まりが発生しやすいという課題がある。
本発明は、穀粒の損傷の少ない排出装置を提供するべく、接続部材の形状および伝動機構について特段の工夫をしたものである。
【課題を解決するための手段】
【０００４】
本発明は、下方に走行装置２を設けた機体フレーム１の上方に脱穀装置３を設け、該脱穀装置３の側方にグレンタンク２０を設け、該グレンタンク２０内にはグレンタンク２０内の穀粒を排出する排出装置２１を設け、該排出装置２１の終端は接続部材２２の横筒部２６に接続し、前記接続部材２２の縦筒部２７には排出用縦揚穀装置２５の下部を接続し、該排出用縦揚穀装置２５の上部に排出オーガ２８の基部を接続したものにおいて、前記縦筒部２７は、その軸芯を前記横筒部２６の軸芯上方から外した一側に配置して連通口３０により前記横筒部２６と連通するようにし、前記横筒部２６の後部に設けた伝動ケース３３に軸装する回転入力軸４０の一端に入力プーリ４１を設け、該回転入力軸４０の他端を前記横筒部２６内の引継ぎ螺旋２３を介して排出装置２１に接続すると共に、前記回転入力軸４０における連通口３０の後側の位置に傘歯車４２を設け、該傘歯車４２には縦軸４４に固定の傘歯車４３を噛み合わせ、前記縦軸４４の下部の伝動スプロケット４５と、前記排出用縦揚穀装置２５の揚穀軸４６の伝動スプロケット４７との間に無端チエン４８を掛け回したことを特徴とするコンバインとしたものであり、エンジンを始動し、走行装置２により機体を走行させて、刈取部５により穀稈を刈取り、刈取った穀稈および穀粒を搬送エレベーター１４により脱穀装置３へ供給して脱穀し、脱穀された穀粒は、グレンタンク２０に一時貯留され、一定量の穀粒が貯留されると、グレンタンク２０内の排出装置２１を作動させ、グレンタンク２０内の穀粒を排出する。
排出装置２１により排出搬送された穀粒は接続部材２２の横筒部２６内に流入し、横筒部２６内に流入した穀粒は接続部材２２の連通口３０により横筒部２６から縦筒部２７内に流入し、縦筒部２７内に流入した穀粒は排出用縦揚穀装置２５の揚穀螺旋により揚穀され、揚穀された穀粒は排出オーガ２８により軽トラック等の所定のタンクに排出される。
この場合、接続部材２２の後部に設けた伝動ケース３３に軸装した回転入力軸４０の一端に入力プーリ４１を設け、回転入力軸４０の他端は引継ぎ螺旋２３を介して排出装置２１に接続して回転を伝達すると共に、連通口３０の後側の回転入力軸４０には傘歯車４２を設け、傘歯車４２には縦軸４４に固定の傘歯車４３を噛み合わせ、前記縦軸４４の下部の伝動スプロケット４５と、排出用縦揚穀装置２５の揚穀軸揚穀軸４６の伝動スプロケット４７との間にチエン４８を掛け回し、伝動スプロケット４５と伝動スプロケット４７とチエン４８はケース５０により包囲しているから、横筒部２６の内側に縦筒部２７を位置させて、縦筒部２７の軸芯が横筒部２６の軸芯上方から外した位置に位置させても、入力プーリ４１の回転を排出用縦揚穀装置２５に伝達させて、穀粒排出を行える。
【発明の効果】
【０００５】
請求項１の発明では、横筒部２６の内側に軸芯をずらせて縦筒部２７を位置させて、横筒部２６から縦筒部２７（排出用縦揚穀装置２５）への移送中の穀粒の損傷を抑制しながら、排出装置２１および引継ぎ螺旋２３ならびに排出用縦揚穀装置２５に、入力プーリ４１からの回転を伝達でき、穀粒の損傷を抑制しつつ合理的な伝動機構の配置構成にできる。
【発明を実施するための最良の形態】
【０００６】
本発明の一実施例を図面により説明すると、１は刈り取った圃場の穀稈を投入して脱穀する所謂汎用コンバインの機体フレームであり、機体フレーム１の下方には走行装置２を設け、機体フレーム１の上方には脱穀装置３を設け、脱穀装置３および操縦部４の前方には刈取部５を設けている。
刈取部５は、左右側壁６と、後述するオーガー８の下方に位置する底板９と、左右の側壁６と底板９とを連結するように設けた後板１０により構成したオーガーフレーム１１に、リール１２と、刈刃１３と前記オーガー８を設けて構成し、オーガーフレーム１１には搬送エレベーター１４の先端を取付け、搬送エレベーター１４の基部は脱穀装置３の脱穀室に接続する。前記オーガー８は前記操縦部４のすぐ前方に位置させ、前記搬送エレベーター１４は前記操縦部４の側部に位置させる。
また、刈取部５は、搬送エレベーター１４と共に、搬送エレベーター１４の基部を回動中心にして上下するように構成している。
【０００７】
前記脱穀装置３の側方には、該脱穀装置３で脱穀された穀粒を揚穀装置１５により供給して一時貯留するグレンタンク２０を設ける。グレンタンク２０内には、グレンタンク２０内の穀粒を排出する螺旋搬送式の排出装置２１を設ける（図３）。該排出装置２１の終端は、前記機体フレーム１に設けた接続メタル２２内に臨ませ、接続メタル２２内に設けた引継ぎ螺旋２３の接続部２４に所謂カップリング接合により着脱自在に係合させる。
接続メタル（接続部材）２２は、前記排出装置２１と排出用縦揚穀装置２５とを接続するものであり、前後方向の横筒部２６と上下方向の縦筒部２７とにより構成し、横筒部２６には前記グレンタンク２０の排出装置２１を接続し、縦筒部２７には排出用縦揚穀装置２５の下部を接続し、排出用縦揚穀装置２５の上部には排出オーガ２８の基部側を接続する。
【０００８】
前記横筒部２６と縦筒部２７とは連通口３０により連通し、排出装置２１および引継ぎ螺旋２３により横筒部２６まで搬送された穀粒は、連通口３０から縦筒部２７内に流入し、排出用縦揚穀装置２５により揚穀される。
したがって、排出装置２１から排出用縦揚穀装置２５に至る間の穀粒の損傷が少なく、詰まりの発生も抑制する。
即ち、従来は、排出装置２１と排出用縦揚穀装置２５は側面視Ｌ型の接続メタル２２により上方に穀粒を押し上げる構成であること、横方向と縦方向の交差部分は搬送力が作用しにくいことから、この交差部分で穀粒が損傷し、また、詰まりの発生原因となっていたが、本願はこれを抑制する。
【０００９】
しかして、前記連通口３０の反対側の横筒部２６には、掃除口を開口させ、該掃除口に開閉自在あるいは着脱自在の蓋３１を取付ける。
連通口３０を形成した部分の接続メタル２２内には引継ぎ螺旋２３が無く、蓋３１を外すと、掃除口により接続メタル２２内を大きく開放でき、メンテナンスが容易になる。
また、縦筒部２７には、掃除口を開口させ、該掃除口に開閉自在あるいは着脱自在の蓋３２を取付けている。
即ち、縦筒部２７の軸芯を横筒部２６の軸芯上方から外した一側（内側）に設けることで、横筒部２６のみならず縦筒部２７にも掃除口を設けることができ、メンテナンスを容易にしている。
【００１０】
しかして、接続メタル２２の横筒部２６の後面には伝動ケース３３を取付け、横筒部２６の前面をグレンタンク２０の後壁３４に取付ける。
前記伝動ケース３３は、フランジ部３５に支持筒３６を一体的に形成し、フランジ部３５を横筒部２６に当接させて、支持筒３６の外周には前記引継ぎ螺旋２３の筒部３７を嵌合させる。
したがって、引継ぎ螺旋２３の取付を容易にすると共に、引継ぎ螺旋２３の支持強度を向上させて、耐久性を向上させる。
また、引継ぎ螺旋２３は、接続部２４の部分で排出装置２１の排出螺旋３８とは着脱係合自在に分割され、グレンタンク２０を任意位置に設けた回動支点を中心に外側回動させて、メンテナンスすることができる。
即ち、接続メタル２２は、横筒部２６の前側部分に引継ぎ螺旋２３を設け、引継ぎ螺旋２３の後側の横筒部２６の後側に伝動ケース３３を形成して、横筒部２６から縦筒部２７へ横方向に穀粒を移動させる構成としながら、グレンタンク２０のオープンを簡単に実現している。
なお、理解を容易にするため、横筒部２６の後面に伝動ケース３３を取付けると、表現しているが、伝動ケース３３は、接続メタル２２の構成部品の一部としてもよく、伝動ケース３３と接続メタル２２との関係は任意であり、実施例に限定されない。
【００１１】
前記支持筒３６内には回転入力軸４０を軸装し、回転入力軸４０の先端には引継ぎ螺旋２３を取付ける。伝動ケース３３より外側（後側）に突出する回転入力軸４０の端部には入力プーリ４１を設ける。フランジ部３５の後側（連通口３０の後側）の伝動ケース３３内の回転入力軸４０には、傘歯車４２を設け、傘歯車４２には縦軸回転の傘歯車４３を噛み合わせる。
傘歯車４３は縦軸４４の上部に固定し、縦軸４４は伝動ケース３３に軸装する。伝動ケース３３より下方に突出する縦軸４４の下部には伝動スプロケット４５を設ける。伝動スプロケット４５には、排出用縦揚穀装置２５の揚穀軸４６の伝動スプロケット４７との間に無端チエン４８を掛け回す。揚穀軸４６は前記接続メタル２２の縦筒部２７に軸装する。前記伝動スプロケット４５と伝動スプロケット４７と無端チエン４８はケース５０により包囲する。
【００１２】
したがって、横筒部２６と縦筒部２７との夫々の軸芯が互いに同一面に位置しないようにして、伝動ケース３３により横筒部２６から縦筒部２７へ穀粒を流入させる構成でありながら、入力プーリ４１に伝達される回転を、排出装置２１および排出用縦揚穀装置２５に伝達させることができ、接続メタル２２の周囲の空間を有効利用して伝動機構を配置でき、合理的構成にできる。
即ち、連通口３０より後側の回転入力軸４０に設けた傘歯車４２に、縦軸回転の傘歯車４３を噛み合わせているから、側面視における横筒部２６から縦筒部２７への搬送通路内に、傘歯車４２および傘歯車４３は位置せず、搬送通路の広さを十分に確保でき、詰まり発生を防止しながら、入力プーリ４１に入力された回転を、排出用縦揚穀装置２５の揚穀軸４６に伝動できる。
また、平面視において、接続メタル２２の下方であって、横筒部２６と縦筒部２７との間に、支持フレーム５１を設けているので、支持フレーム５１が前記ケース５０の保護部材を兼用する構成になる。
【００１３】
しかして、前記入力プーリ４１にエンジン５５からの伝動経路中には、ＰＴＯ軸部５６を設ける（図７、図８）。
実施例では、入力プーリ４１に回転を伝達する中間プーリ５７を入力プーリ４１の内側に設け、この中間プーリ５７を設けた中間軸５８の端部に前記ＰＴＯ軸部５６を形成する。
即ち、グレンタンク２０と脱穀装置３との間の空間内にＰＴＯ軸部５６を設け、ＰＴＯ軸部５６からロークロップ（図示省略）の回転刃の駆動や掃除用のエアブロワー（図示省略）の駆動等のオプション作業機への出力が可能となる。
６０はベルト（図６）、６１はギヤボックス（図６）、６２は中間プーリ、６３は脱穀装置３の前側部分に設けた中間プーリ、６４はベルト、８１は走行ミッションケース、８２は油圧式無段変速装置、８３は刈取クラッチ、８４は主唐箕、８５は副唐箕、８６は一番移送螺旋、８７は二番移送螺旋、８８は第二唐箕、８９は揺動選別棚、９０は二番揚穀螺旋、９１は第二刈刃、９２は排藁チョッパーである（図８）。
【００１４】
しかして、接続メタル２２の横筒部２６の上面には、バッテリー６５を設ける。横筒部２６はそれ自体の剛性が高く、この横筒部２６にバッテリー６５を搭載するように取付けるので、バッテリー６５を安定して固定できる。また、接続メタル２２の後方周囲を包囲する後部カバー６６と排出用縦揚穀装置２５との間の空間内にバッテリー６５を設置でき、空間を有効利用できる。
また、後部カバー６６を開けると、バッテリー６５および接続メタル２２の掃除口を開閉させる蓋３１付近が開放され、一層、メンテナンスが容易にできる。
しかして、前記脱穀装置３で脱穀した穀粒をグレンタンク２０に供給揚穀する揚穀装置１５には、排出オーガ２８を支持するオーガ受け６８を設ける。
【００１５】
そのため、排出オーガ２８を脱穀装置３の上方に位置させていても、脱穀装置３の扱胴カバー６９を開放させることができ、操作性を向上させる。
即ち、扱胴カバー６９にオーガ受け６８を設けると、必ず、排出オーガ２８を一旦オーガ受け６８から移動させ、次に、扱胴カバー６９をオープンさせることになるが、揚穀装置１５にオーガ受け６８を設けているので、排出オーガ２８をオーガ受け６８に載せたまま扱胴カバー６９を開放させることができ、操作性を向上させる。
この場合、実施例では扱胴カバー６９の回動中心Ｓを反グレンタンク２０側に設けているので、一層、扱胴カバー６９のオープン角度を広くでき、好適である。
なお、グレンタンク２０は揚穀装置１５を残して外側オープンさせるので、揚穀装置１５にオーガ受け６８を設けても、グレンタンク２０の外側オープンの作業には影響せず、この点でも、合理的構成になる。
【００１６】
しかして、操縦部４のドア７０の下方には搭乗側サブステップ７１を設け（図１２、図１３）、搭乗側サブステップ７１と略同じ高さの刈取部５のオーガーフレーム１１の後板１０には刈取側サブステップ７２を設ける。
刈取側サブステップ７２は、刈取部５を最も下げた状態のとき、搭乗側サブステップ７１と略同じ高さとなるように構成する。
そのため、操縦部４から搭乗側サブステップ７１と刈取側サブステップ７２を通って刈取部５への移動が容易に行える。
また、刈取側サブステップ７２を設けることにより、オーガーフレーム１１の強度を向上させることができる。
【００１７】
しかして、図１４，図１５は、刈取側サブステップ７２の他の実施例を示し、リール１２を取付ける左右一対のリールフレーム７３間に刈取側サブステップ７２を掛け渡した設けたものである。
したがって、操縦部４から刈取部５の刈取側サブステップ７２を通って搬送エレベーター１４から脱穀装置３に至り、脱穀装置３の点検およびメンテナンスを行うことができる。
即ち、本実施例のように、操縦部４を運転席を包囲するキャビン型となっているときに、脱穀装置３の点検は操縦部４のドア開けて一旦降りて、刈取部５を大きく迂回して搬送エレベーター１４に乗って脱穀装置３まで登らなければならず、面倒であったが、本願では、刈取部５の刈取側サブステップ７２から搬送エレベーター１４にすぐに移れて、非常に簡単に行える。
【００１８】
しかして、前記脱穀装置３は、扱胴７５（図８）の回転を、切替レバー７７（図１）により二段階に変更可能に構成し、また、脱穀室（図示省略）の後方所定位置に排稈量検知センサ７８を設け（図１６）、排稈量検知センサ７８により脱穀装置３内の唐箕風量および揺動選別装置のチャフシーブの開閉量を制御するように構成すると共に、前記排稈量検知センサ７８の感度を変更（切替）自在に構成する。
扱胴７５の回転は、切替レバー７７により、稲・麦のときは高回転とし、大豆・蕎麦では低回転に変更し、排稈量の多い稲・麦のときは排稈量検知センサ７８の感度を標準とし、大豆・蕎麦では排稈量が少ないので、排稈量検知センサ７８の感度を上げて制御する。
したがって、作物の性状に合わせた脱穀制御を行うことができる。
【００１９】
なお、唐箕風量および揺動選別装置のチャフシーブの開閉量の変更調節機構は任意であり、図１あるいは図１７では理解を容易にするため、唐箕８４および揺動選別棚８９の概略を図示しているが、これにより構成は限定されない。
この場合、前記扱胴７５の回転数を回転センサ７９（図１７）により検出し、扱胴７５の回転数が高いときは稲・麦と判別し、かつ、排稈量検知センサ７８の感度を標準にして制御し、扱胴７５の回転数が低くいときは大豆・蕎麦と判別して排稈量検知センサ７８の感度を上げ制御するように構成すると、作物の性状に合わせた脱穀制御を簡単に行うことができる。
【００２０】
しかして、前記刈取部５は、搬送エレベータ１４の先端に任意の構成により回転（ローリング）自在に取付け、搬送エレベータ１４に対して回転させることで、圃場に対して刈取部５を水平状態にさせて刈り取り作業を行えるように構成している。
したがって、通常の刈取作業では、刈取部５を圃場に対して並行状態にするが、刈取部５を所定量あるいは最上位置に上昇させるときは、刈取部５と搬送エレベータ１４との接続部分となる搬送エレベータ１４の供給口８０側が低くなるように、刈取部５のオーガーフレーム１１を回転させるように、構成する。
そのため、上昇した刈取部５の底板９は、供給口８０側が低く傾斜するので、オーガーフレーム１１内の穀稈や穀粒は供給口８０側に流れやすくなり、オーガーフレーム１１内の残留穀粒が減少し、その結果、穀粒の汚染も抑制することができる。
【００２１】
（実施例の作用）
しかして、エンジン５５を始動し、走行装置２により機体を走行させると、リール１２が回転し、未刈稈を掻き込み、掻込んだ穀稈を刈刃１３で刈取り、刈取った穀稈および穀粒を回転するオーガー８により集めて搬送エレベーター１４内へ供給され、搬送エレベーター１４により脱穀装置３へ供給されて脱穀される。
脱穀された穀粒は、グレンタンク２０に一時貯留され、一定量貯留されると、グレンタンク２０内の排出装置２１を作動させ、グレンタンク２０内の穀粒を排出する。排出装置２１により搬送された穀粒は接続メタル２２の横筒部２６内に流入し、横筒部２６内に流入した穀粒は接続メタル２２の連通口３０により横筒部２６から縦筒部２７内に流入し、縦筒部２７内に流入した穀粒は排出用縦揚穀装置２５の揚穀螺旋により揚穀され、揚穀された穀粒は排出オーガ２８により軽トラック等の所定のタンクに排出される。
【００２２】
この場合、排出用縦揚穀装置２５の揚穀螺旋の下部は、図示は省略するが、前記連通口３０の側方に臨ませると、連通口３０から縦筒部２７内に流入した穀粒を円滑に揚穀させることができ、穀粒の損傷および詰まりの発生を防止する。
また、連通口３０の反対側の横筒部２６には、掃除口を開口させ、該掃除口に開閉自在あるいは着脱自在の蓋３１を取付けているから、蓋３１を外すと、連通口３０を形成した部分の接続メタル２２内には引継ぎ螺旋２３が存在せず、掃除口により接続メタル２２内を大きく開放でき、メンテナンスを容易に行える。
しかして、接続メタル２２の後部に設けた伝動ケース３３に軸装した回転入力軸４０の一端に入力プーリ４１を設け、回転入力軸４０の他端は引継ぎ螺旋２３を介して排出装置２１に接続して回転を伝達すると共に、連通口３０の後側の回転入力軸４０には傘歯車４２を設け、傘歯車４２には縦軸４４に固定の傘歯車４３を噛み合わせ、前記縦軸４４の下部の伝動スプロケット４５には、排出用縦揚穀装置２５の揚穀軸４６の伝動スプロケット４７との間に無端チエン４８を掛け回し、伝動スプロケット４５と伝動スプロケット４７と無端チエン４８はケース５０により包囲しているから、横筒部２６の内側に縦筒部２７を位置させて、縦筒部２７の軸芯が横筒部２６の軸芯上方から外した位置に位置させても、入力プーリ４１の回転を排出用縦揚穀装置２５に伝達させることができる。
【００２３】
また、傘歯車４２と傘歯車４３は伝動ケース３３内に内蔵し、伝動スプロケット４５および伝動スプロケット４７ならびに無端チエン４８は、接続メタル２２の横筒部２６および縦筒部２７の下方に設けているから、取付スペースを最小限にでき、機体の小型化に貢献する。
また、平面視において、接続メタル２２の下方であって、横筒部２６と縦筒部２７との間に、支持フレーム５１を設けているので、支持フレーム５１がケース５０の保護部材を兼用する構成になる。
【図面の簡単な説明】
【００２４】
【図１】コンバインの側面図。
【図２】刈取部の平面図。
【図３】グレンタンクの平面図。
【図４】接続メタル部分の縦断側面図。
【図５】同平面図。
【図６】ＰＴＯ軸部付近の平面図。
【図７】同側面図。
【図８】コンバインの伝動構成の一例を示す概略図。
【図９】接続メタル付近の背面図。
【図１０】同平面図。
【図１１】コンバインの背面図。
【図１２】同側面図。
【図１３】同平面図。
【図１４】同側面図。
【図１５】コンバインの概略平面図。
【図１６】同背面図。
【図１７】コンバインの概略側面図。
【図１８】コンバインの正面図。
【符号の説明】
【００２５】
１…フレーム、２…走行装置、３…脱穀装置、４…操縦部、５…刈取部、６…左右側壁、８…オーガー、９…底板、１０…後板、１１…オーガーフレーム、１２…リール、１３…刈刃、１４…搬送エレベーター、１５…揚穀装置、２０…グレンタンク、２１…排出装置、２２…接続メタル（接続部材）、２３…引継ぎ螺旋、２４…接続部、２６…横筒部、２７…縦筒部、２５…排出用縦揚穀装置、２８…排出オーガ、３０…連通口、３２…蓋、３３…伝動ケース、３４…後壁、３５…フランジ部、３７…筒部、３８…排出螺旋、４０…回転入力軸、４１…入力プーリ、４２…傘歯車、４３…傘歯車、４４…縦軸、４５…伝動スプロケット、４６…揚穀軸、４７…伝動スプロケット、４８…無端チエン、５０…ケース、５１…支持フレーム、５５…エンジン、５６…ＰＴＯ軸部、５７…中間プーリ、５８…中間軸、６０…ベルト、６１…ギヤボックス、６２…中間プーリ、６３…中間プーリ、６４…ベルト、６５…バッテリー、６６…後部カバー、６８…オーガ受け、６９…扱胴カバー、７０…ドア、７１…搭乗側サブステップ、７２…刈取側サブステップ、７３…リールフレーム、７５…扱胴、７８…排稈量検知センサ、７７…切替レバー、７９…回転センサ、８０…供給口、８１…走行ミッションケース、８２…油圧式無段変速装置、８３…刈取クラッチ、８４…主唐箕、８５…副唐箕、８６…一番移送螺旋、８７…二番移送螺旋、８８…第二唐箕、８９…揺動選別棚、９０…二番揚穀螺旋、９１…第二刈刃、９２…排藁チョッパー。
【図１】
2008125431.tif 000003
【図２】
2008125431.tif 000004
【図３】
2008125431.tif 000005
【図４】
2008125431.tif 000006
【図５】
2008125431.tif 000007
【図６】
2008125431.tif 000008
【図７】
2008125431.tif 000009
【図８】
2008125431.tif 000010
【図９】
2008125431.tif 000011
【図１０】
2008125431.tif 000012
【図１１】
2008125431.tif 000013
【図１２】
2008125431.tif 000014
【図１３】
2008125431.tif 000015
【図１４】
2008125431.tif 000016
【図１５】
2008125431.tif 000017
【図１６】
2008125431.tif 000018
【図１７】
2008125431.tif 000019
【図１８】
2008125431.tif 000020